(57)【特許請求の範囲】
【請求項１】
自動車を識別するＩＤコードや車番等の自動車データを送信し、給油データを受信する送受信手段と、
該送受信手段を介して受信した給油データを前記自動車データに基づいて取込む給油データ取込手段と、
該給油データ取込手段からの給油データを表示する車載表示器とを搭載した自動車と、
給油量を計数し、該給油量に対応した給油データを出力する計数手段と、
前記自動車データを受信して記憶し、計数手段からの給油データに自動車データを付加して発信する受発信手段とを有する給油装置とより構成されることを特徴とした給油所システム。
【請求項２】
前記車載表示器を自動車内のサンバイザーに設けた請求項１記載の給油所システム。
【請求項３】
前記車載表示器を自動車内のダッシュボード上に折り畳み自在に設けた請求項１記載の給油所システム。
【請求項４】
前記車載表示器を自動車内のダッシュボード内に設けた請求項１記載の給油所システム。
【発明の詳細な説明】
【０００１】
【発明の属する技術分野】
本発明は、ガソリン等の燃料油を自動車に供給する給油所において、給油データを見易く表示する給油所システムに関する。
【０００２】
【従来の技術】
下部ケーシング内に流量計等の給油機構を、上部ケーシング内に給油データを表示する表示機構を有した複数の給油装置を設けた給油所において、敷地内に進入してきた自動車の給油口の位置を確認して、作業員は給油作業がしやすい前記給油口の位置に適した給油装置へ誘導していた。
【０００３】
【発明が解決しようとする課題】
しかしながら、前記誘導は給油作業が容易に行えるように給油所側にとって都合がよい位置に停止させるので、給油装置の設置場所や給油データを表示する表示器の位置によっては、ドライバーが運転席に座ったままでは給油データを確認することが困難であった。また、表示器が見える位置に誘導されても、表示器に太陽光線が当たっていたり、給油装置や作業員等の陰が映っている場合には、表示器が見にくいという不都合があった。
【０００４】
本発明はこのような問題に鑑みてなされたものであって、その目的とするところは、給油データを表示する表示器をドライバーが見易い自動車内に設置し、確実に給油データを把握できる給油所システムを提供することである。
【０００５】
【課題を解決するための手段】
このような問題を解消するために本発明においては、自動車を識別するＩＤコードや車番等の自動車データを送信し、給油データを受信する送受信手段と、該送受信手段を介して受信した給油データを前記自動車データに基づいて取込む給油データ取込手段と、該給油データ取込手段からの給油データを表示する車載表示器とを搭載した自動車と、給油量を計数し、該給油量に対応した給油データを出力する計数手段と、前記自動車データを受信して記憶し、計数手段からの給油データに自動車データを付加して発信する受発信手段とを有する給油装置とより構成されるので、ドライバーは運転席に座ったままで、リアルタイムで給油データを知ることが出来き、燃料計から解るタンク空容量より給油終了を予め把握することができる。
【０００６】
また、前記車載表示器を自動車内のサンバイザーに設ければ、不使用時には、ほこり等で画面が汚れることが無い。
【０００７】
さらに、前記車載表示器を自動車内のダッシュボード上に折り畳み自在に設ければ、運転時折り畳むことができ、前方視界にも影響を及ぼさない。
【０００８】
そして、前記車載表示器を自動車内のダッシュボード内に設ければ、狭い自動車内の空間を有効利用できる。
【０００９】
【発明の実施の形態】
以下、本発明の実施の形態を図面に基づいて説明する。図１は本発明の給油所の構成を説明する斜視図、図２は本発明の給油所システムの制御を示すブロック図、図３は本発明の車載表示器をサンバイザーに設けた図、図４は本発明の車載表示器をダッシュボード上に設けた図、そして図５は本発明の車載表示器をダッシュボード内に設けた図である。
【００１０】
図１に示すように、道路に面した給油所の敷地１内にアイランド２を複数設け、該アイランド２上に給油装置３を複数立設し、敷地１の隅部に事務所などの建物４を設置し、敷地１の上方を雨天時等の作業のためにキャノピイ５で覆っている。
【００１１】
前記給油装置３は給油所等に設置の従来周知のものと同様、ハウジング６内に地下タンクに連通する給油管を立上げ、この給油管の途中にポンプ７、流量パルス発信器８を接続した流量計を設け、給油管の先端は、給油ノズルを先端に有する給油ホースに接続し、ハウジング６の前面に前記流量計からの計測値を表示する表示器９を、ハウジング６の側面に給油ノズルの掛け外しに連動してオンオフするノズルスイッチ１０を有するノズル掛けを、ハウジング６の上部にアンテナ１１を設けている。また、自動車１２はアンテナ１３を介してＴＶ、ナビゲーション、そして前記給油装置３からの給油データを表示する車載表示器１４を搭載している。
【００１２】
前記給油装置３の給油制御装置２１には、給油ノズルの掛け外し時に出力されるノズルスイッチ１０からのオン信号でポンプ７を駆動し、オフ信号でポンプ７を停止するように信号を送るポンプ駆動手段２２と、ノズルスイッチ１０からのオン信号でリセットされ、流量パルス発信器８からのパルス信号に基づいて給油量を計数し、該給油量に対応した給油データを出力する計数手段２３と、該計数手段２３からの給油データを表示器９に表示する表示器駆動手段２４と、ノズルスイッチ１０からのオン信号で後述する自動車データの記憶を開始し、オフ信号でリセットし、計数手段２３からの給油データに自動車データを付加する受発信手段２５と、該受発信手段２５からの給油データと車載制御装置３１からの自動車データとをアンテナ１１を介して送受信する送受信手段２６とを備えている。
【００１３】
自動車の車載制御装置３１には、自動車を識別するＩＤコードや車番等の自動車データを記憶した自動車データ記憶手段３２と、該自動車データ記憶手段３２からの自動車データと、ＴＶ信号、ナビゲーション表示する道路交通信号、そして給油制御装置２１からの給油データとをアンテナ１３を介して送受信する送受信手段３３と、該送受信手段３３からの給油データを自動車データに基づいて取込む給油データ取込手段３４と、送受信手段３３を介して受信した給油データ、ＴＶ信号、そして道路交通信号を切換スイッチ３５からの出力で切換える切換手段３６と、該切換手段３６からの信号を車載表示器１４に表示する駆動手段３７とを備えている。
【００１４】
次に動作について説明する。敷地１内に自動車１２が進入して、給油装置３の前方の給油位置に停止すると、顧客は自動車内に設けた切換スイッチ３５を操作して図３に示すような車載表示器１４の画面を給油データ表示画面に切換えると、自動車データ記憶手段３２に記憶された自動車固有のＩＤコードや車番等の自動車データを所定時間、例えば１分間アンテナ１３を介して給油装置３に送信する。一方、給油装置３はノズル掛けより給油ノズルが外されると、前記自動車データの受信開始信号が受発信手段２５に導入され、例えば３０秒間、アンテナ１１を介して受信し、記憶する。このとき、自動車データの送受信は給油開始前に短時間で行われるので、他の給油装置への自動車データの送受信を防止することが出来る。
【００１５】
そして、給油ノズルを自動車１２の給油口へ挿入してノズルバルブを開くと、給油ホースを介して給油ノズルより燃料油が吐出され、流量パルス発信器８からのパルス信号が計数手段２３で計数され、前記計数手段２３より表示器駆動手段２４を介して給油データを表示器９に表示し、同時に前記給油データは、受発信手段２５で前記受信した自動車データを給油データに付加してアンテナ１１を介して自動車１２に送信し、アンテナ１３を介して受信して給油データ取込手段３４に伝えられ、前記自動車データ記憶手段３２に記憶された自動車データが付加されているかを判別して、該当する給油データを車載表示器１４に表示する。
【００１６】
ドライバーは運転席に座ったままでサンバイザー４１に設けた車載表示器１４で確実に給油データを見ることができ、燃料計から解る空タンク容量より給油終了を予め把握することができる。また、他車の給油データを受信しても、前記給油データ取込手段３４により自動車データを判別するので、給油装置３が複数設置されていたり、給油車両が複数存在しても車載表示器１４には表示されない。
【００１７】
給油が終了され、給油ノズルをノズル掛けに戻すと、ノズルスイッチ１０からのオフ信号がリセット信号として受発信手段２５に記憶された自動車データをリセットして、次の給油に備える。
【００１８】
図４は車載表示器１４をダッシュボード５１上に折り畳み自在に設けた設けた第２の実施例であり、不使用時は折り畳んで置けば、運転時の前方視界にも影響を及ぼさない。
【００１９】
図５は車載表示器１４をダッシュボード５１内に設けた第３の実施例であり、狭い自動車内の空間を有効利用できる。
【００２０】
【発明の効果】
本発明に係る給油所システムは以上詳述に述べた如くであって、ドライバーは運転席に座ったままでの状態で、車の停止位置に係わらずリアルタイムで給油データを知ることができ、燃料計から解るタンク空容量より予め給油終了を把握することができる。また、前記車載表示器を自動車内のサンバイザーに設ければ、不使用時には、ほこり等で画面が汚れることが無い。さらに、前記車載表示器を自動車内のダッシュボード上に折り畳み自在に設ければ、運転時折り畳むことができ、前方視界にも影響を及ぼさない。そして、前記車載表示器を自動車内のダッシュボード内に設ければ、狭い自動車内の空間を有効利用できる。
【図面の簡単な説明】
【図１】本発明の給油所の構成を説明する斜視図である。
【図２】本発明の給油所システムの制御を示すブロック図である。
【図３】本発明の車載表示器をサンバイザーに設けた図である。
【図４】本発明の車載表示器をダッシュボード上に設けた図である。
【図５】本発明の車載表示器をダッシュボード内に設けた図である。
【符号の説明】
１  敷地
２  アイランド
３  給油装置
４  建物
５  キャノピイ
６  ハウジング
７  ポンプ
８  流量パルス発信器
９  表示器
１０  ノズルスイッチ
１１  アンテナ
１２  自動車
１３  アンテナ
１４  車載表示器
２１  給油制御装置
２２  ポンプ駆動手段
２３  計数手段
２４  表示器駆動手段
２５  受発信手段
２６  送受信手段
３１  車載制御手段
３２  自動車データ記憶手段
３３  送受信手段
３４  給油データ取込手段
３５  切換スイッチ
３６  切換手段
３７  駆動手段
４１  サンバイザー
５１  ダッシュボード
【図１】
0003726388.tif 000002
【図３】
0003726388.tif 000003
【図２】
0003726388.tif 000004
【図４】
0003726388.tif 000005
【図５】
0003726388.tif 000006